(57)【特許請求の範囲】
【請求項１】
アンテナであって、
回路基板の第１表面上にプリントされた第１アンテナブランチであって、第１サブブランチを含む第１アンテナブランチと、
前記第１表面上にプリントされた接地ブランチであって、前記接地ブランチは接地サブブランチを含み、前記第１サブブランチ及び前記接地サブブランチはギャップを形成するように交互に配列されており、並びに前記第１アンテナブランチ及び前記接地ブランチは、前記ギャップを通して相互に結合されている、接地ブランチと、
前記回路基板の第２表面上にプリントされた第２アンテナブランチであって、前記第２表面及び前記第１表面は前記回路基板の二つの対向する表面である、第２アンテナブランチと、
前記第１アンテナブランチに電気的に接続された第１フィードと、
を含み、
前記第２アンテナブランチは、前記回路基板上の金属ビアホールに電気的に接続されており、且つ前記金属ビアホールは、前記第１フィードに電気的に接続されており、
前記第１アンテナブランチ、前記接地ブランチ、及び前記第１フィードは、第１共振周波数を生成するように構成された、第１アンテナを形成しており、及び
前記第１アンテナブランチ、前記第２アンテナブランチ、及び前記第１フィードは、第２共振周波数を生成するように構成された、第２アンテナを形成している、アンテナ。
【請求項２】
前記第１サブブランチのインターデジタル構造の数は、前記アンテナの長さに反比例している、請求項１に記載のアンテナ。
【請求項３】
前記アンテナはさらに、
前記第１アンテナブランチの端部及び前記回路基板の接地端子に電気的に接続されており、且つ前記第１アンテナブランチの電気的長さを縮小するように構成された、第１コンデンサ、及び／または
前記第２アンテナブランチの端部及び前記回路基板の前記接地端子に電気的に接続されており、且つ前記第２アンテナブランチの電気的長さを縮小するように構成された、第２コンデンサ
を含む、請求項１または２に記載のアンテナ。
【請求項４】
端末であって、
ハウジングと、
前記ハウジングの表面上または前記ハウジングの内部に配置された回路基板と、
前記回路基板の第１側面上に配置された第１アンテナと、
前記第１アンテナに電気的に接続されており、且つ前記第１アンテナの送信及び受信の信号を処理するように構成された、プロセッサと、
を含んでおり、
前記第１アンテナは、
前記回路基板の第１表面上にプリントされた第１アンテナブランチであって、第１サブブランチを含む第１アンテナブランチと、
前記第１表面上にプリントされた接地ブランチであって、前記接地ブランチは接地サブブランチを含み、前記第１サブブランチ及び前記接地サブブランチはギャップを形成するように交互に配列されており、及び前記第１アンテナブランチ及び前記接地ブランチは、前記ギャップを通して相互に結合されている、接地ブランチと、
前記回路基板の第２表面上にプリントされた第２アンテナブランチであって、前記第２表面及び前記第１表面は前記回路基板の二つの対向する表面である、第２アンテナブランチと、
前記第１アンテナブランチに電気的に接続された第１フィードと、
を含み、
前記第２アンテナブランチは、前記回路基板上の金属ビアホールに電気的に接続されており、且つ前記金属ビアホールは、前記第１フィードに電気的に接続されており、
前記第１アンテナブランチ、前記接地ブランチ、及び前記第１フィードは、第１共振周波数を生成するように構成された第１アンテナを形成しており、及び
前記第１アンテナブランチ、前記第２アンテナブランチ、及び前記第１フィードは、第２共振周波数を生成するように構成された、第２アンテナを形成している、端末。
【請求項５】
前記第１サブブランチのインターデジタル構造の数は、前記アンテナの長さに反比例している、請求項４に記載の端末。
【請求項６】
前記第１アンテナはさらに、
前記第１アンテナブランチの端部及び前記回路基板の接地端子に電気的に接続されており、且つ前記第１アンテナブランチの電気的長さを縮小するように構成された、第１コンデンサ、及び／または、
前記第２アンテナブランチの端部及び前記回路基板の前記接地端子に電気的に接続されており、且つ前記第２アンテナブランチの電気的長さを縮小するように構成された、第２コンデンサ、
を含む、請求項４または５に記載の端末。
【請求項７】
前記端末はさらに、
前記回路基板の第３側面上に配置された第３アンテナであって、前記第３側面は前記第１側面に隣接しており、及び前記第３アンテナは第３共振周波数を生成するように構成された、第３アンテナと、
前記第３側面上に配置された第４アンテナであって、前記第３共振周波数における第１サブ共振周波数を生成するように構成された、第４アンテナと、
前記回路基板の第４側面上に配置された第５アンテナであって、前記第４側面は前記第３側面に対向しており、及び前記第５アンテナは前記第３共振周波数を生成するように構成された、第５アンテナと、
前記第４側面上に配置された第６アンテナであって、前記第３共振周波数における第１サブ共振周波数を生成するように構成された、第６アンテナと、
を含む、請求項４から６のいずれか一項に記載の端末。
【請求項８】
前記端末はさらに、
前記第３側面上、及び前記第３アンテナと前記第４アンテナの間に配置された、第１共振ブランチであって、前記第１共振ブランチのサイズは前記第１サブ共振周波数の１／４波長である、第１共振ブランチと、
前記第４側面上、及び前記第５アンテナと前記第６アンテナの間に配置された、第２共振ブランチであって、前記第２共振ブランチのサイズは前記第１サブ共振周波数の１／４波長である、第２共振ブランチと、
を含む、請求項７に記載の端末。
【請求項９】
前記端末は携帯電話またはウェアラブルデバイスである、請求項４から８のいずれか一項に記載の端末。
【発明の詳細な説明】
【技術分野】
【０００１】
本発明は、通信技術、特にアンテナ及び端末に関連している。
【背景技術】
【０００２】
現在、携帯端末の開発動向は小型化及び高性能化であり、これは、ワイヤレス通信システムに適用される高周波（ＲＦ：Ｒａｄｉｏ  Ｆｒｅｑｕｅｎｃｙ）コンポーネントの設計が、コンポーネントの小型化（コンパクトサイズ）、低コスト、及び容易な統合などのような因子に焦点を合わせることをもたらす。
【０００３】
ＩＥＥＥ８０２．１１標準において、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）に合う動作周波数帯域は、２．４ＧＨｚ（２４００ＭＨｚ−２５００ＭＨｚ）及び５ＧＨｚ（４９００ＭＨｚ−５９００ＭＨｚ）であることが定式化されている。異なる製品形態で、二つの動作周波数帯域を包含する多くのＷｉＦｉアンテナがある。ゲートウェイ及び顧客宅内機器（ＣＰＥ：Ｃｕｓｔｏｍｅｒ  Ｐｒｅｍｉｓｅ  Ｅｑｕｉｐｍｅｎｔ）対しては、壁取付けダイポールアンテナ、またはＰＣＢボード上にプリントされたＩＦＡ及びループ（Ｌｏｏｐ）アンテナなどのようなアンテナ形態があり、モバイルＷｉＦｉホットスポット製品に対しては、ループ、モノポール、及びＩＦＡアンテナなどのようなアンテナ形態がある。
【０００４】
現在、これらの製品のＷｉＦｉアンテナのサイズは大きい。全体のサイズが約１００ｍｍ×６４ｍｍ×１４ｍｍであるモバイルホットスポット製品が例として使用され、ＷｉＦｉアンテナの空間サイズは約２５ｍｍ×５ｍｍ×５ｍｍである。製品の小型化の傾向と共に、ＷｉＦｉアンテナの空間が圧縮され、且つ同時にＷｉＦｉアンテナの良好な性能が保証されることが必要とされている。ＷｉＦｉセラミックアンテナは比較的良好な小型化の解決策であり、これはＰＣＢボードの間隙サイズ約１０ｍｍ×５ｍｍを占有する小型レベルを達成することができる。しかしながら、これは現在２．４ＧＨｚ周波数帯域に限定されているだけであり、５ＧＨｚ周波数帯域に延長されることができない。
【０００５】
ＷｉＦｉアンテナは通常、４分の１波長の共振長要求を有しており、及び一般的に約２５ｍｍ×５ｍｍ×５ｍｍのアンテナ空間を必要としている。いくつかのＷｉＦｉアンテナのアンテナ空間は、２０ｍｍ×５ｍｍ×５ｍｍに最適化されることができるが、サイズがさらに縮小される場合、アンテナ性能は影響を受けるだろう。
【０００６】
従来技術は、アンテナが同時に多重周波数帯域を包含し、及びアンテナのサイズが相対的に大きい技術的問題を有している。
【発明の概要】
【課題を解決するための手段】
【０００７】
本発明の実施形態は、アンテナのサイズが縮小されるときに、アンテナが多重周波数帯域を包含することを保証することができるアンテナ及び端末を提供する。
【０００８】
第１の態様によると、本発明の実施形態は、アンテナであって、回路基板の第１表面上にプリントされた第１アンテナブランチであって、第１サブブランチを含んでいる第１アンテナブランチと；第１表面上にプリントされた接地ブランチであって、接地ブランチは接地サブブランチを含んでおり、第１サブブランチ及び接地サブブランチはギャップを形成するように交互に配列されており、及び第１アンテナブランチ及び接地ブランチは、ギャップを通して相互に結合されている、接地ブランチと；回路基板の第２表面上にプリントされた第２アンテナブランチであって、第２表面及び第１表面は回路基板の二つの対向する表面である、第２アンテナブランチと；及び第１アンテナブランチに電気的に接続された第１フィードと；を含み、第２アンテナブランチは、回路基板上の金属ビアホールに電気的に接続されており、且つ金属ビアホールは第１フィードに電気的に接続されており；第１アンテナブランチ、接地ブランチ、及び第１フィードは、第１共振周波数を生成するように構成された第１アンテナを形成しており；第１アンテナブランチ、第２アンテナブランチ、及び第１フィードは、第２共振周波数を生成するように構成された第２アンテナを形成している、アンテナを提供する。
【０００９】
第１の態様に関して、第１の可能な実装方法において、第１サブブランチのインターデジタル構造の数は、アンテナの長さに反比例している。
【００１０】
第１の態様または第１の態様の第１の可能な実装方法に関して、第２の可能な実装方法において、アンテナはさらに、第１アンテナブランチの端部及び回路基板の接地端子に電気的に接続され、且つ第１アンテナブランチの電気的長さを縮小するように構成された第１コンデンサ；及び／または、第２アンテナブランチの端部及び回路基板の接地端子に電気的に接続され、且つ第２アンテナブランチの電気的長さを縮小するように構成された第２コンデンサ、を含む。
【００１１】
第２の態様によると、本発明は、ハウジングと、ハウジングの表面上またはハウジングの内部に配置された回路基板と；回路基板の第１側面上に配置された第１アンテナと；第１アンテナに電気的に接続され、且つ第１アンテナの送信及び受信の信号を処理するように構成された、プロセッサとを含んでおり；第１アンテナは、回路基板の第１表面上にプリントされた第１アンテナブランチであって、第１サブブランチを含んでいる第１アンテナブランチと；第１表面上にプリントされた接地ブランチであって、接地ブランチは接地サブブランチを含んでおり、第１サブブランチ及び接地サブブランチはギャップを形成するように交互に配列されており、及び第１アンテナブランチ及び接地ブランチは、ギャップを通して相互に結合されている、接地ブランチと；回路基板の第２表面上にプリントされた第２アンテナブランチであって、第２表面及び第１表面は回路基板の二つの対向する表面である、第２アンテナブランチと；第１アンテナブランチに電気的に接続された第１フィードとを含み；第２アンテナブランチは、回路基板上の金属ビアホールに電気的に接続されており、且つ前記金属ビアホールは、前記第１フィードに電気的に接続されており；第１アンテナブランチ、接地ブランチ、及び第１フィードは、第１共振周波数を生成するように構成された、第１アンテナを形成しており；第１アンテナブランチ、第２アンテナブランチ、及び第１フィードは、第２共振周波数を生成するように構成された、第２アンテナを形成している、端末を提供する。
【００１２】
第２の態様に関して、第１の可能な実施方法において、第１サブブランチのインターデジタル構造の数は、前記アンテナの長さに反比例している。
【００１３】
第２の態様または第２の態様の第１の可能な実装方法に関して、第２の可能な実装方法において、第１アンテナはさらに、第１アンテナブランチの端部及び回路基板の接地端子に電気的に接続され、且つ第１アンテナブランチの電気的長さを縮小するように構成された第１コンデンサ；及び／または、第２アンテナブランチの端部及び回路基板の接地端子に電気的に接続され、且つ第２アンテナブランチの電気的長さを縮小するように構成された第２コンデンサ、を含む。
【００１４】
第２の態様または第２の態様の第１及び第２の可能な実装方法のいかなる可能な実装方法に関して、第３の可能な実装方法において、端末はさらに、回路基板の第２側面上に配置された第２アンテナであって、第２側面は第１側面の対向する側面である、第２アンテナを含む。
【００１５】
第２の態様または第２の態様の第１から第３の可能な実装方法のいかなる可能な実装方法に関して、第４の可能な実装方法において、端末はさらに、回路基板の第３側面上に配置された第３アンテナであって、第３側面は第１側面に隣接しており、及び第３アンテナは第３共振周波数を生成するように構成されている第３アンテナと；第３側面上に配置された第４アンテナであって、第３共振周波数において第１サブ共振周波数を生成するように構成された第４アンテナと；回路基板の第４側面上に配置された第５アンテナであって、第４側面は第３側面に対向しており、第３共振周波数を生成するように構成された、第５アンテナと；及び第４側面上に配置された第６アンテナであって、第３共振周波数において第１サブ共振周波数を生成するように構成された第６アンテナとを含む。
【００１６】
第２の態様の第４の可能な実装方法に関して、第５の可能な実装方法において、端末はさらに、第３側面上及び第３アンテナと第４アンテナの間に配置された第１共振ブランチであって、第１共振ブランチのサイズは第１サブ共振周波数の１／４波長である、第１共振ブランチ；及び／または、第４側面上及び第５アンテナと第６アンテナの間に配置された第２共振ブランチであって、第２共振ブランチのサイズは第１サブ共振周波数の１／４波長である、第２共振ブランチ、を含む。
【００１７】
第２の態様または第２の態様の第１から第５の可能な実装方法に関して、第６の可能な実装方法において、端末は携帯電話またはウェアラブルデバイスである。
【００１８】
本発明の有益な効果は、以下のようである。
【００１９】
本発明の実施形態において、アンテナが提供され、アンテナは、第１アンテナブランチと、接地ブランチと、第２アンテナブランチ、及び第１フィードを含み、第１アンテナブランチ、接地ブランチ、及び第１フィードは、第１共振周波数を生成するように構成された第１アンテナを形成し、第１アンテナブランチ、第２アンテナブランチ、及び第１フィードは、第２共振周波数を生成するように構成された第２アンテナを形成している。それ故、アンテナは、第１共振周波数及び第２共振周波数を包含することができる。さらに、第１アンテナブランチの第１サブブランチ及び接地ブランチの接地サブブランチは、静電容量効果を提供することのできるギャップを形成するように交互に配置されている。さらに、第１アンテナブランチ及び接地ブランチはＬＣ回路を形成し、ＬＣ回路は左手系伝送線路効果を示す。これは同様に、第１アンテナブランチ及び接地ブランチの長さを縮小させ、及びそれ故、アンテナが多重周波数帯域を包含するとき、アンテナの全体のサイズが縮小されることを保証している。
【図面の簡単な説明】
【００２０】
【図１ａ】本発明の実施形態による回路基板の第１表面上に位置しているアンテナの第１タイプの第１アンテナブランチ及び接地ブランチの概略構造図である。
【図１ｂ】本発明の実施形態による第１アンテナの、回路基板の第２表面上に位置している、第２アンテナブランチの概略構造図である。
【図１ｃ】本発明の実施形態による第２アンテナの概略構造図である。
【図２】本発明の実施形態による第１コンデンサ及び第２コンデンサを含むアンテナの概略構造図である。
【図３】本発明の実施形態１によるアンテナの概略構造図である。
【図４】本発明の実施形態１によるアンテナのリターンロスの概略図である。
【図５】本発明の実施形態２によるアンテナの概略構造図である。
【図６】本発明の実施形態２によるアンテナのリターンロスの概略図である。
【図７】本発明の実施形態３によるアンテナの概略構造図である。
【図８】本発明の実施形態３によるアンテナのリターンロス及びアイソレーション指数の概略図である。
【図９】本発明の実施形態による端末の概略構造図である。
【図１０】本発明の実施形態による、ＷｉＦｉアンテナ及びＬＴＥアンテナが配置されている回路基板の端末の概略構造図である。
【発明を実施するための形態】
【００２１】
従来技術において、アンテナが多重周波数帯域を同時に包含するとき、アンテナのサイズが非常に大きくなるという技術的問題に対して、本発明の実施形態はここで、アンテナを提供し、アンテナは、第１アンテナブランチ、接地ブランチ、第２アンテナブランチ、及び第１フィードを含み、第１アンテナブランチ、接地ブランチ、及び第１フィードは、第１共振周波数を生成するように構成されている第１アンテナを形成し；第１アンテナブランチ、第２アンテナブランチ、及び第１フィードは、第２共振周波数を生成するように構成されている第２アンテナを形成している。それ故、アンテナは第１共振周波数及び第２共振周波数を包含することができる。さらに、第１アンテナブランチの第１サブブランチ及び接地ブランチの接地サブブランチはギャップを形成するように交互に配置されており、これは静電容量効果を提供することができる。さらに、第１アンテナブランチ及び接地ブランチはＬＣ回路を形成し、ＬＣ回路は左手系伝送線効果を示す。これは順に、第１アンテナブランチ及び接地ブランチの長さを縮小し、それによって、アンテナが多重周波数帯域を包含するとき、アンテナの全体のサイズが縮小することを保証している。
【００２２】
以下では、添付の図面を参照して、本発明の実施形態における技術的解法、それに関する具体的な実装方法、及び対応する達成可能な有益な効果を説明している。
【００２３】
本明細書における端末はワイヤレス端末または有線端末であり得る。ワイヤレス端末は使用者に音声及び／またはデータ接続性を提供するデバイス、無線接続機能を有する携帯用デバイス、または無線モデムに接続された他の処理デバイスを参照し得る。ワイヤレス端末は、（ＲＡＮ：Ｒａｄｉｏ  Ａｃｃｅｓｓ  Ｎｅｔｗｏｒｋなどのような）無線アクセスネットワークを用いることにより、一つ以上のコアネットワークと通信し得る。ワイヤレス端末は、（「セルラー」電話としても参照されている）携帯電話などのような携帯端末、または携帯端末を備えたコンピュータであってもよく、例えば、音声及び／またはデータを無線アクセスネットワークに交換する、携帯用の、ポケットサイズの、ハンドヘルドの、パソコンに組み込まれた、または車載の、携帯装置であってもよい。例えば、個人通信サービス（ＰＳＣ：Ｐｅｒｓｏｎａｌ  Ｃｏｍｍｕｎｉｃａｔｉｏｎ  Ｓｅｒｖｉｃｅ）電話、コードレス電話セット、セッション確立プロトコル（ＳＩＰ：Ｓｅｓｓｉｏｎ  Ｉｎｉｔｉａｌ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、または携帯情報端末（ＰＤＡ：Ｐｅｒｓｏｎａｌ  Ｄｉｇｉｔａｌ  Ａｓｓｉｓｔａｎｔ）などのようなデバイスであってもよい。ワイヤレス端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、携帯ステーション（Ｍｏｂｉｌｅ  Ｓｔａｔｉｏｎ）、携帯端末（Ｍｏｂｉｌｅ）、遠隔ステーション（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセスターミナル（Ａｃｃｅｓｓ  Ｔｅｒｍｉｎａｌ）、ユーザーターミナル（Ｕｓｅｒ  Ｔｅｒｍｉｎａｌ）、ユーザーエージェント（Ｕｓｅｒ  Ａｇｅｎｔ）、ユーザーデバイス（Ｕｓｅｒ  Ｄｅｖｉｃｅ）、またはユーザー機器（Ｕｓｅｒ  Ｅｑｕｉｐｍｅｎｔ）として参照され得る。
【００２４】
この明細書における「及び／または」との用語は、関連する対象を説明する関連関係だけを説明しており、三つの関係が存在し得ることを示している。例えば、Ａ及び／またはＢは、Ａだけが存在するか、ＡとＢの両方が存在するか、Ｂだけが存在する三つの場合を示している。加えて、この明細書における記号「／」は一般的に、関連する対象の間で「または」の関係を示している。
【００２５】
第１の態様によると、本発明の実施形態は、アンテナを提供し、アンテナは多重構造を有し得る。以下では説明のためにそれらのうちの二つを載せる。具体的な実装工程において、以下の二つの実例に限定されないことは確かである。
【００２６】
第１の実例において、図１ａ及び図１ｂを参照すると、図１ａは第１アンテナブランチ及び接地ブランチの概略図であり、図１ｂは第２アンテナブランチの概略構造図であり、アンテナは、
回路基板２０の第１表面２０ａ上にプリントされた第１アンテナブランチ１０であって、第１サブブランチ１０ａを含む、第１アンテナブランチ１０と、
第１表面２０ａ上にプリントされた接地ブランチ１１であって、接地サブブランチ１１ａを含み、第１サブブランチ１０ａ及び接地サブブランチ１１ａはギャップを形成するように交互に配置されており、並びに第１アンテナブランチ１０及び接地ブランチ１１は、ギャップを通して相互に結合されており、その結果、第１アンテナブランチ１０及び接地ブランチ１１は結合容量効果を生み出し、それによって、第１アンテナブランチ１０及び接地ブランチ１１にＬＣ回路を形成させ、ＬＣ回路は左手系伝送線路効果を示し、アンテナのサイズを縮小させることができる、接地ブランチ１１と、
を含む。
【００２７】
例えば、従来技術において、２．５ＧＨｚ共振を有するＩＦＡアンテナがＰＣＢボード上にプリントされ、ＩＦＡアンテナの電気的長さは約（３００／２．５）／４＝３０ｍｍであるが、ボードの誘電率の影響を考慮すると、実際のサイズは３０ｍｍより小さく、約２０ｍｍから２５ｍｍであると想定される。左手系伝送線路効果がアンテナを設計することに用いられる場合、アンテナの電気的長さは、右手系概念のアンテナの長さの約１／２、すなわち、約１０ｍｍから１２．５ｍｍである。
【００２８】
第１アンテナブランチ１０は、ＩＦＡアンテナ、モノポールアンテナ、Ｌｏｏｐアンテナ（ｌｏｏｐ  ａｎｔｅｎｎａ）などであってもよい。
【００２９】
第１アンテナブランチ１０がＩＦＡアンテナまたはＬｏｏｐアンテナである場合、第１アンテナブランチ１０はＰＣＢボードの接地端子に電気的に接続され、及び接地ブランチ１１がＰＣＢボードの接地端子に電気的に接続される。
【００３０】
第１サブブランチ１０ａ及び接地サブブランチ１１ａが交互に配置されるとき、第１サブブランチ１０ａと接地サブブランチ１１ａの間に電気接続は無いが、ギャップが存在しており、第１アンテナブランチ１０及び接地ブランチ１１はギャップ結合を形成する。ギャップのサイズの範囲は、約０．１ｍｍから０．５ｍｍである。
【００３１】
第２アンテナブランチ１２は回路基板２０の第２表面２０ｂ上にプリントされ、第１表面２０ａ及び第２表面２０ｂは回路基板２０の二つの対向する表面である。
【００３２】
第２アンテナブランチ１２は、ＩＦＡアンテナ、モノポールアンテナ、Ｌｏｏｐアンテナ（ｌｏｏｐ  ａｎｔｅｎｎａ）などであってもよい。第２アンテナブランチ１２がＩＦＡアンテナまたはＬｏｏｐアンテナであるとき、第２アンテナブランチ１２はＰＣＢボードの接地端子に電気的に接続されている。
【００３３】
第１フィード１３は、第１アンテナブランチ１０に電気的に接続されており、
第２アンテナブランチ１２は、回路基板上の金属ビアホール２０ｃに電気的に接続され、及び金属ビアホール２０ｃは第１フィード１３に電気的に接続されており、第１アンテナブランチ１０、接地ブランチ１１、及び第１フィード１３は、第１共振周波数を生成するように構成された第１アンテナを形成し、第１アンテナブランチ１０、第２アンテナブランチ１２、及び第１フィード１３は、第２共振周波数を生成するように構成された第２アンテナを形成し、例えば、第１共振周波数は２．４ＧＨｚ−２．５ＧＨｚであり、第２共振周波数は、例えば、４．９ＧＨｚ−５．９ＧＨｚである。
【００３４】
さらに、図１ｂをさらに参照すると、図１ｂは回路基板の第２表面２０ｂ上のアンテナ設計の概略図を示しており、第２アンテナブランチ１２は回路ボード２０の第２表面２０ｂ上にプリントされており、第２表面２０ｂ及び第１表面２０ａは対向する表面である。図１ｂ中の点線は回路基板の第１表面２０ａ上のアンテナ設計を示しており、第２表面２０ｂ上の対応する位置にアンテナはない。
【００３５】
第２実例において、図１ｃを参照すると、アンテナは以下の構造を含んでいる。
回路基板２０の第１表面２０ａ上にプリントされた第１アンテナブランチであって、第１サブブランチ１０ａを含む第１アンテナブランチ１０；
第１表面２０ａ上にプリントされた接地ブランチであって、接地サブブランチ１１ａを含み、第１サブブランチ１０ａ及び接地サブブランチ１１ａはギャップを形成するように交互に配置されており、及び第１アンテナブランチ１０及び接地ブランチ１１はギャップを通して相互に結合されている、接地ブランチ１１；
回路基板２０上にプリントされた第２アンテナブランチ１２であって、第２アンテナブランチ１２は、回路基板２０の第１表面２０ａまたは第２表面２０ｂ上にプリントされてもよく、図１ｃは第２アンテナブランチ１２が第１表面２０ａ上にプリントされた概略図である、第２アンテナブランチ１２；
第１アンテナブランチ１０に電気的に接続された第１フィード１４であって、第１アンテナブランチ１０、接地ブランチ１１、及び第１フィード１４は、第１共振周波数を生成するように構成された第１アンテナを形成する、第１フィード１４；
接地ブランチ１１に電気的に接続された第２フィード１５であって、第２アンテナブランチ１２及び第２フィード１５は、第２共振周波数を生成するように構成された第２アンテナを形成する、第２フィード１５。
【００３６】
上から見てわかるように、第１共振周波数及び第２共振周波数での信号が異なるフィードを用いることによって送られ、第１共振周波数に対するアンテナ配線及び第２共振周波数に対するアンテナ配線は別々に調整されることができ、それによって、第１共振周波数に対する配線及び第２共振周波数に対する配線が互いに影響を及ぼすことを防いでいる。
【００３７】
加えて、第１共振周波数及び第２共振周波数での信号が異なるフィードを用いることによって送られ、及び結合器がアンテナの回路システムにおいて省かれてもよく、それによって、部品コストの縮小の利点をもたらす。
【００３８】
任意的に、第１アンテナサブブランチのインターデジタル構造の数はアンテナの長さに反比例する。
【００３９】
具体的な実装工程において、第１サブブランチ１０ａの数は接地サブブランチ１１ａの数と同じであるが、第１サブブランチ１０ａのインターデジタル構造の数は任意の数であってよく、例えば、１、３、４等である。第１サブブランチ１０ａのインターデジタル構造の数が大きいとき、第１サブブランチ１０ａと接地サブブランチ１１ａとの間に形成される結合容量効果の強度はより高く、アンテナの長さはさらに縮小され得る。すなわち、第１サブブランチ１０ａのインターデジタル構造の数は、アンテナの長さに反比例し、反比例は、第１サブブランチ１０ａのインターデジタル構造の数が増えるにつれて、アンテナの長さが短くなることを参照している。
【００４０】
任意的に、図２を参照すると、アンテナはさらに、
第１アンテナブランチ１０の端部及び回路基板２０の接地端子２０ｄに電気的に接続され、第１アンテナブランチ１０の電気的長さを減らすように構成された、第１コンデンサ１６、及び／または
第２アンテナブランチ１２の端部及び回路基板２０の接地端子２０ｄに電気的に接続され、第２アンテナブランチ１２の電気的長さを減らすように構成された、第２コンデンサ１７、を含む。
【００４１】
具体的な実装工程において、同一サイズの条件において、コンデンサがアンテナブランチの端部に直列に接続される場合、アンテナブランチの実効電気的長さは縮小され、その結果、アンテナブランチの低周波共振点は上方へ移り、それによって、アンテナブランチの長さを短くする。第１コンデンサ１６は、例えば、２ｐＦまたは１．５ｐＦであり、及び第２コンデンサ１７は、例えば、２ｐＦまたは１．３ｐＦであり、二つは同一であっても異なっていてもよく、本発明のこの実施形態において限定されていない。
【００４２】
さらなる例示的な実施形態として、第１アンテナブランチ１０、接地ブランチ１１、及び第２アンテナブランチ１２は全て、回路基板２０の端部に置かれ得る。すなわち、第１アンテナブランチ１０は、回路基板２０の一側面上に置かれ、接地ブランチ１１は、前記一側面に隣接する回路基板２０の別の側面上に置かれ、第２アンテナブランチ１２は、前記別の側面に隣接する回路基板２０の別の側面上に置かれ得る。回路基板の三つの側面上に金属接地端子２０ｄがあり、これは、第１アンテナブランチ１０、接地ブランチ１１、及び第２アンテナブランチ１２によって形成される構造が回路基板に組み込まれていることに等しいので、回路基板の利用率を改善することができる。
【００４３】
以下では、いくつかの特定の実施形態を参照して、本発明におけるアンテナを説明しており、以下の実施形態は、アンテナのいくつかの予想される実装構造を主に説明している。本発明における実施形態は、本発明を説明するためだけに用いられ、本発明を限定するものではないことに注意すべきである。本発明の観念に適合した全ての実施形態は、本発明の保護範囲内にあり、当業者であれば本発明の観念による転換をどのように実施するかを知っている。
【００４４】
［実施形態１］
図３及び図１ｂを参照すると、この実施形態で説明されるアンテナは、
回路基板２０の前面２０ａ上にプリントされた第１アンテナブランチ１０であって、第１アンテナブランチ１０はＩＦＡアンテナであってもよく、その長さは約７ｍｍであり、及び二つの第１サブブランチ１０ａを含む、第１アンテナブランチ１０と、
回路基板２０の前面２０ａ上にプリントされ、「Ｕ」形状に成形され、且つ二つの接地サブブランチ１１ａを含む、接地ブランチ１１であって、接地サブブランチ１１ａを除く接地ブランチ１１の長さは７．５ｍｍである、接地ブランチ１１と、
回路基板２０の背面２０ｂ上にプリントされた第２アンテナブランチ１２であって、回路基板２０上の金属ビアホール２０ｃに電気的に接続されている第２アンテナブランチ１２と、
第１アンテナブランチ１０に電気的に接続された第１フィード１３であって、金属ビアホール２０ｃに電気的に接続されている、第１フィード１３と、を含み、
第１アンテナブランチ１０、接地ブランチ１１、及びフィード１３は、２．４ＧＨｚから２．５ＧＨｚの周波数を生成するように構成された第１アンテナを形成し、並びに第１アンテナブランチ１０、第２アンテナブランチ１２、及びフィード１３は、４．９ＧＨｚから５．９ＧＨｚの周波数を生成するように構成された第２アンテナを形成する。
【００４５】
アンテナ長さＬは、第１アンテナブランチ１０の最左の端部から、接地ブランチ１１の最右の端部までの長さであり、全体として１５ｍｍであり、アンテナ幅Ｗは３ｍｍから４．５ｍｍである。
【００４６】
アンテナをエミュレートすることによって得られたリターンロス曲線のグラフである図４に示されたように、２．４ＧＨｚでのリターンロスは−１０．９５１０ｄＢであり（すなわち、ｍ１）、２．５ＧＨｚでのリターンロスは−７．６８０３ｄＢであり（すなわち、ｍ２）、２．４ＧＨｚから２．５ＧＨｚでのリターンロスは−７．６８０３ｄＢと−１０．９５１０ｄＢの間であり、すなわち、全て−５ｄＢ未満であり、４．９ＧＨｚでのリターンロスは−６．９９６１ｄＢであり（すなわち、ｍ３）、５．９ＧＨｚでのリターンロスは−５．７６６６ｄＢであり（すなわち、ｍ４）、４．９ＧＨｚから５．９ＧＨｚでのリターンロスは−５．７６６６ｄＢと−６．９９６１ｄＢの間であり、同様に、全て−５ｄＢ未満であることが表からわかる。これは、２．４ＧＨｚから２．５ＧＨｚ及び４．９ＧＨｚから５．９ＧＨｚの周波数帯域におけるリターンロスが必須要件を満足しており、及び両方の周波数帯域の効率が同様に５０％より高いことを示している。それ故、アンテナは、その長さが縮小するとき、二つの周波数帯域２．４ＧＨｚから２．５ＧＨｚ及び４．９ＧＨｚから５．９ＧＨｚが包含されることを保証することができる。
【００４７】
表１に示すように、表１は実験的試験からのアンテナの効率データである。
【００４８】
【表１】
0006032515.tif 000002
【００４９】
２．４ＧＨｚから２．５ＧＨｚの周波数帯域において、ほとんど全ての効率は５０％を超えており、必須要件を満足しており、４．９ＧＨｚから５．９ＧＨｚの周波数帯域において、効率は２．４ＧＨｚから２．５ＧＨｚの周波数帯域におけるものよりも小さいが、それらのほとんどが５０％よりも高く、及びそれ故、データ伝送が実施され得ることが表１（Ｔａｂｌｅ  １）からわかる。アンテナは、２．４ＧＨｚから２．５ＧＨｚ及び４．９ＧＨｚから５．９ＧＨｚの周波数帯域を同時に包含することができることがわかる。
【００５０】
［実施形態２］
図５及び図１ｂを参照すると、本願のこの実施形態において説明されるアンテナは以下の構造を含んでいる。
回路基板２０の前面２０ａ上にプリントされ、ＩＦＡアンテナであり、三つの第１サブブランチ１０ａを含む、第１アンテナブランチ１０；
回路基板２０の前面２０ａ上にプリントされ、三つの接地サブブランチ１１ａを含む、接地ブランチ１１；
回路基板２０の背面２０ｂ上にプリントされた第２アンテナブランチ１２であって、回路基板２０上の金属ビアホール２０ｃに電気的に接続された第２アンテナブランチ１２；及び
第１アンテナブランチ１０に電気的に接続され、金属ビアホール２０ｃに電気的に接続されている、第１フィード１３；
第１アンテナブランチ１０、接地ブランチ１１、及び第１フィード１３は、２．４ＧＨｚから２．５ＧＨｚの周波数を生成するように構成された第１アンテナを形成し、及び第１アンテナブランチ１０、第２アンテナブランチ１２、及びフィード１３は、４．９ＧＨｚから５．９ＧＨｚの周波数を生成するように構成された第２アンテナを形成する。アンテナ長さＬは、第１アンテナブランチ１０の最左の端部から、接地ブランチ１１の最右の端部までの長さであり、全体として１２ｍｍであり、アンテナ幅Ｗは４．５ｍｍである。実施形態１と比較して、第１サブブランチ１０ａの数が縮小するとき、アンテナ長さＬが縮小することがわかる。
【００５１】
アンテナをエミュレートすることによって得られたリターンロス曲線のグラフである図６に示されたように、２．４ＧＨｚ）でのリターンロスは−８．６９７５ｄＢであり（すなわち、ｍ１、２．５ＧＨｚでのリターンロスは−７．２３８７ｄＢであり（すなわち、ｍ２）、２．４ＧＨｚから２．５ＧＨｚでのリターンロスは−７．２３８７ｄＢから−８．６９７５ｄＢの間であり、すなわち、全て−５ｄＢ未満であり、４．９ＧＨｚでのリターンロスは−６．９３３０ｄＢであり（すなわち、ｍ３）、５．９ＧＨｚ（でのリターンロスは−６．９３６３ｄＢでありすなわち、ｍ４）、４．９２ＧＨｚから５．８９ＧＨｚでのリターンロスは−６．９３３０ｄＢから−６．９３６３ｄＢの間であり、及びそれ故、４．９ＧＨｚから５．９ＧＨｚの周波数帯域におけるリターンロスは、全て−５ｄＢ未満であることが表からわかる。これは、２．４ＧＨｚから２．５ＧＨｚ及び４．９ＧＨｚから５．９ＧＨｚの周波数帯域におけるリターンロスが必須要件を満足することを示している。
【００５２】
アンテナは、その長さが縮小するとき、二つの周波数帯域２．４ＧＨｚから２．５ＧＨｚ及び４．９ＧＨｚから５．９ＧＨｚが包含されることを保証することができることがわかる。
【００５３】
［実施形態３］
図７を参照すると、本願のこの実施形態において説明されるアンテナは、
回路基板２０の前面２０ａ上にプリントされた第１アンテナブランチ１０であって、三つの第１サブブランチ１０ａを含み得る、第１アンテナブランチ１０と；
回路基板２０の前面２０ａ上にプリントされ、三つの接地サブブランチ１１ａを含む、接地ブランチ１１であって、第１アンテナブランチ１０の最左の端部から接地ブランチ１１の最右の端部までの長さＬ１は１０ｍｍである、接地ブランチ１１と；
回路基板２０の前面２０ａ上にプリントされ、ＬＯＯＰアンテナであり、その長さＬ２が約５ｍｍである、第２アンテナブランチ１２であって、ＰＣＢボードの接地端子に電気的に接続されている第２アンテナブランチ１２と；
第１アンテナブランチ１０に接続された第１フィード１４であって、アンテナブランチ１０、接地ブランチ１１、及び第１フィード１４は、２．４ＧＨｚから２．５ＧＨｚの間の周波数を生成するように構成された第１アンテナを形成している、第１フィード１４と；
第２アンテナブランチ１２に接続された第２フィード１５であって、第２アンテナブランチ１２及び第２フィード１４は、４．９ＧＨｚから５．９ＧＨｚの間の周波数を生成するように構成された第２アンテナを形成している、第２フィード１５と；
第１アンテナブランチ１０の端部及び回路基板２０の接地端子２０ｄに電気的に接続されており、並びに第１アンテナブランチ１０の電気的長さを縮小するように構成された、第１コンデンサ１６と；
第２アンテナブランチ１２の端部及び回路基板２０の接地端子２０ｄに電気的に接続されており、並びに第２アンテナブランチ１２の電気的長さを縮小するように構成された、第２コンデンサ１７と；
を含む。
【００５４】
アンテナの長さＬは、第１アンテナブランチ１０の最左の端部から第２アンテナブランチ１２の最右の端部までの長さであり、１６ｍｍである。
【００５５】
アンテナのリターンロス及びアイソレーション指数のエミュレーションの概略図である図８を参照すると、図から二つのリターンロスの曲線が含まれていることがわかり、２．４ＧＨｚから２．５ＧＨｚの周波数帯域に対する曲線８０において、２．４ＧＨｚでのリターンロスは−７．３６５２ｄＢであり（すなわち、ｍ３）、２．５ＧＨｚでのリターンロスは−７．５２８９ｄＢであり（すなわち、ｍ４）、２．４ＧＨｚから２．５ＧＨｚでのリターンロスは−７．３６５２ｄＢと−７．５２８９との間であり、すなわち、全てが−５ｄＢ未満であり；４．９ＧＨｚから５．９ＧＨｚの周波数帯域に対する曲線８１において、４．９１ＧＨｚでのリターンロスは−６．３３３４ｄＢであり（すなわち、ｍ１）、５．９ＧＨｚでのリターンロスは−６．３９９１ｄＢであり（すなわち、ｍ２）、４．９１ＧＨｚから５．９ＧＨｚでのリターンロスは、−６．３３３４ｄＢと−６．３９９１との間であり、それ故、４．９ＧＨｚから５．９ＧＨｚの周波数帯域における全てのリターンロスは同様に−５ｄＢ未満である。これは、２．４ＧＨｚから２．５ＧＨｚ及び４．９ＧＨｚから５．９ＧＨｚの周波数帯域が、要求を満たしていることを示している。アイソレーション曲線８２において、全ての周波数でのアイソレーションは−１０ｄＢ未満であり、それ故、アイソレーションが良好である。それ故、アンテナは、その長さが縮小されるとき、２．４ＧＨｚから２．５ＧＨｚ及び４．９ＧＨｚから５．９ＧＨｚの二つの周波数帯域が包含されることを保証することができ、及び２．４ＧＨｚから２．５ＧＨｚ及び４．９ＧＨｚから５．９ＧＨｚの二つの周波数帯域を別々にデバッグすることができ、その結果デバッグはより便利である。
【００５６】
第２の態様によれば、本発明のこの実施形態は端末を提供し、端末は、例えば、携帯電話またはウェアラブルデバイスである。図９を参照すると、端末は特に、
ハウジング９０；
ハウジング９０の表面上、またはハウジング９０の内側に配置された回路基板２０；
回路基板２０の第１側面９１ａ上に配置された、第１アンテナ９１；
第１アンテナ９１に電気的に接続され、及び第１アンテナ９１の送信及び受信の信号を処理するように構成されたプロセッサ９２；
を含む。
【００５７】
図１をさらに参照すると、第１アンテナ９１は、
回路基板２０の第１表面２０ａ上にプリントされた第１アンテナブランチ１０であって、第１サブブランチ１０ａを含む第１アンテナブランチ１０と；
第１表面２０ａにプリントされた接地ブランチ１１であって、接地サブブランチ１１ａを含み、第１サブブランチ１０ａ及び接地サブブランチ１１ａはギャップを形成するように交互に配置されており、並びに第１アンテナブランチ１０及び接地ブランチ１１はギャップを通して相互に結合されている接地ブランチ１１と；
回路基板２０の第２表面２０ｂ上にプリントされた第２アンテナブランチ１２であって、第２表面２０ｂ及び第１表面２０ａは回路基板２０の二つの対向する表面である、第２アンテナブランチ１２と；
第１アンテナブランチ１０に電気的に接続された第１フィード１３と；
を含み、
第２アンテナブランチ１２は回路基板２０上の金属ビアホール２０ｃに電気的に接続され、及び金属ビアホール２０ｃは第１フィード１３に電気的に接続されており、第１アンテナブランチ１０、接地ブランチ１１、及び第１フィード１３は、第１共振周波数を生成するように構成された第１アンテナを形成し、並びに第１アンテナブランチ１０、第２アンテナブランチ１２、及び第１フィード１３は、第２共振周波数を生成するように構成された第２アンテナを形成している。
【００５８】
任意的に、第１サブブランチ１０ａのインターデジタル構造の数は、アンテナの長さに反比例している。
【００５９】
任意的に、さらに図２を参照すると、第１アンテナはさらに、
第１アンテナブランチ１０の端部及び回路基板２０の接地端子２０ｄに電気的に接続されており、並びに第１アンテナブランチ１０の電気的長さを縮小するように構成されている、第１コンデンサ１６；及び／または
第２アンテナブランチ１２の端部及び回路基板２０の接地端子２０ｄに電気的に接続されており、並びに第２アンテナブランチ１２の電気的長さを縮小するように構成されている、第２コンデンサ１７；
を含む。
【００６０】
任意的に、図１０を参照すると、アンテナはさらに、
回路基板の第２側面９１ｂ上に配置された第２アンテナ９３であって、第２側面９１ｂは第１側面９１ａの対向側面である、第２のアンテナ９３、
を含む。
【００６１】
そのような場合において、第１アンテナ９１及び第２アンテナ９３のパターンカバレージは、全指向性カバレージを達成できることが保証され得る。
【００６２】
任意的に、さらに図１０を参照すると、アンテナはさらに、
回路基板２０の第３側面９１ｃ上に配置された第３アンテナ９４ａであって、第３側面９１ｃは第１側面９１ａに隣接しており、第３アンテナ９４ａは第３共振周波数を生成するように構成されており、及び第３共振周波数は、例えば、８１５ＭＨｚ−９６０ＭＨｚ、１４２０ＭＨｚ−１５２０ＭＨｚ、１７１０ＭＨｚ−２１７０ＭＨｚ、及び２４９０ＭＨｚ−２７００ＭＨｚの間の少なくとも一つの周波数である、第３アンテナ９４ａと；
第３側面９１ｃ上に配置された第４アンテナ９４ｂであって、第３共振周波数において第１サブ共振周波数を生成するように構成されており、第１サブ共振周波数は、例えば、２４９０ＭＨｚ−２７００ＭＨｚである、第４アンテナ９４ｂと；
回路基板２０の第４側面９１ｄ上に配置された第５アンテナ９４ｃであって、第４側面９１ｄは第３側面９１ｃに対向しており、及び第５アンテナ９４ｃは第３共振周波数を生成するように構成されており、一般的に、第５アンテナ９４ｃは第３アンテナ９４ａの送信及び受信ダイバーシティアンテナであり、及びそれ故、第５アンテナ９４ｃは第３共振周波数の受信周波数帯域、例えば、８６０ＭＨｚ−９６０ＭＨｚ、１４７０ＭＨｚ−１５２０ＭＨｚ、１７００ＭＨｚ−２１７０ＭＨｚ、及び２４９０ＭＨｚ−２７００ＭＨｚの間の少なくとも一つの周波数帯域においてのみ作動する、第５アンテナ９４ｃと；
第４側面９１ｄ上に配置された第６アンテナ９４ｄであって、第３共振周波数における第１サブ共振周波数を生成するように構成されており、第２サブ共振周波数は、例えば、２４９０ＭＨｚ−２７００ＭＨｚである、第６アンテナ９４ｄと；
を含む。
【００６３】
前述の解法は、ＷｉＦｉアンテナの全指向性カバレージを実装するために第１アンテナ９１及び第２アンテナ９３が回路基板の対向側面に置かれており、並びに第３アンテナ９４ａ、第４アンテナ９４ｂ、第５アンテナ９４ｃ、及び第６アンテナ９４ｄがロング・ターム・エボリューション（ＬＴＥ：Ｌｏｎｇ  Ｔｅｒｍ  Ｅｖｏｌｕｔｉｏｎ）アンテナの全指向性カバレージを実装している、４×４の多重入出力（ＭＩＭＯ：Ｍｕｌｔｉｐｌｅ−Ｉｎｐｕｔ  Ｍｕｌｔｉｐｌｅ−Ｏｕｔｐｕｔ）システムにおけるＬＴＥアンテナ及びＷｉＦｉアンテナの新たな設計的解法を提供している。
【００６４】
任意的に、さらに図１０を参照すると、アンテナは、
第３側面９１ｃ上に配置された第１共振ブランチ９５ａであって、第３アンテナ９４ａ及び第４アンテナ９４ｂの間に位置しており、第１共振ブランチ９５ａのサイズは、第１サブ共振周波数の１／４波長である、第１共振ブランチ９５ａ；及び／または
第４側面９１ｄ上に配置された第２共振ブランチ９５ａであって、第５アンテナ９４ｃ及び第６アンテナ９４ｄの間に位置しており、第２共振ブランチ９５ａのサイズは、第１サブ共振周波数の１／４波長である、第２共振ブランチ９５ａ；
を含む。
【００６５】
第１サブ共振周波数が２４９０ＭＨｚから２７００ＭＨｚであるものが例として使用され、及びそのとき、アンテナが第１共振ブランチ９５ａを有している場合、第１共振ブランチ９５ａの長さは、２４９０ＭＨｚから２７００ＭＨｚの１／４波長であり、アンテナが第２共振ブランチ９５ｂを有している場合、第２共振ブランチ９５ｂの長さは、２４９０ＭＨｚから２７００ＭＨｚの１／４波長である。
【００６６】
ＰＣＢボード上の第３アンテナ９４ａ及び第４アンテナ９４ｂの電流分布は、回路基板２０上に配置された第１共振ブランチ９５ａを用いることによって変更されることができ、それ故、第３アンテナ９４ａと第４アンテナ９４ｂの間のアイソレーションを改善し、及び第３アンテナ９４ａと第４アンテナ９４ｂの間の相互干渉を避けており；第５アンテナ９４ｃ及び第６アンテナ９４ｄの電流分布は、回路基板９１上に配置された第２共振ブランチ９５ｂを用いることによって変更されることができ、それ故、第５アンテナ９４ｃと第６アンテナ９４ｄの間のアイソレーションを改善し、及び第５アンテナ９４ｃと第６アンテナ９４ｄの間の相互干渉を避けている。
【００６７】
本発明の１つ以上の実施形態は、少なくとも以下の有益な効果を有している。
【００６８】
本発明の実施形態において、アンテナ及び端末が提供され、アンテナは、第１アンテナブランチと、接地ブランチと、第２アンテナブランチと、第１フィードとを含むか、またはさらに第２フィードを含み、第１アンテナブランチ、接地ブランチ、及び第１フィードは、第１共振周波数を生成するように構成された第１アンテナを形成し、第１アンテナブランチ、第２アンテナブランチ、及び第１フィードは、第２共振周波数を生成するように構成された第２アンテナを形成しており；または、第１アンテナブランチ、接地ブランチ、及び第１フィードは、第１共振周波数を生成するように構成された第１アンテナを形成し、第２アンテナブランチ及び第２フィードは第２共振周波数を生成するように構成された第２アンテナを形成している。それ故、アンテナは、第１共振周波数及び第２共振周波数を含む多重周波数を包含することができる。さらに、第１アンテナブランチの第１サブブランチ及び接地ブランチの接地サブブランチは、静電容量効果を提供するように交互に配置されることができる。さらに、第１アンテナブランチ及び接地ブランチはＬＣ回路を形成し、ＬＣ回路は左手系伝送線路効果を示す。これは同様に、第１アンテナブランチ及び接地ブランチの長さの合計を縮小させ、及びそれ故、アンテナが多重周波数帯域を包含するとき、アンテナの全体のサイズを縮小させることを保証している。
【００６９】
本発明のいくつかの好ましい実施形態が説明されてきたが、当業者が基本的な発明の概念を知り得さえすれば、これらの実施形態に変更や修正を加えることができる。それ故、以下の特許請求の範囲は、例示的な実施形態並びに本発明の範囲内にある変更及び修正を包含するように構成されていることを目的としている。
【００７０】
当業者であれば、本発明の趣旨及び範囲から逸脱することなく本発明に様々な修正や変更を加えることができることは明らかである。本発明は、以下の特許請求の範囲及びそれらの同等物によって定義される保護の範囲で、これらの修正や変形を包含することを目的としている。
【符号の説明】
【００７１】
１０  第１アンテナブランチ
１０ａ  第１サブブランチ
１１  接地ブランチ
１１ａ  接地サブブランチ
１２  第２アンテナブランチ
１３  第１フィード
１４  第２フィード
１５  第２フィード
１６  第１コンデンサ
１７  第２コンデンサ
２０  回路基板
２０ａ  第１表面
２０ｂ  第２表面
２０ｃ  金属ビアホール
２０ｄ  接地端子
８０、８１  波数帯域に対する曲線
８２  アイソレーション曲線
９０  ハウジング
９１  第１アンテナ
９１ａ  第１側面
９１ｂ  第２側面
９１ｃ  第３側面
９１ｄ  第４側面
９２  プロセッサ
９３  第２アンテナ
９４ａ  第３アンテナ
９４ｂ  第４アンテナ
９４ｃ  第５アンテナ
９４ｄ  第６アンテナ
９５ａ  第１共振ブランチ
９５ｂ  第２共振ブランチ
【図１ａ】
0006032515.tif 000003
【図１ｂ】
0006032515.tif 000004
【図１ｃ】
0006032515.tif 000005
【図２】
0006032515.tif 000006
【図３】
0006032515.tif 000007
【図４】
0006032515.tif 000008
【図５】
0006032515.tif 000009
【図６】
0006032515.tif 000010
【図７】
0006032515.tif 000011
【図８】
0006032515.tif 000012
【図９】
0006032515.tif 000013
【図１０】
0006032515.tif 000014